(57)【特許請求の範囲】
【請求項１】
無線セルラー通信ネットワークにおいて、第１の基地局から第２の基地局へ半二重端末のハンドオーバを実行しなければならないか否かを判断する方法であって、
各基地局はそれぞれのセルにおいて信号を転送し、
前記半二重端末は、前記基地局のうちの一つによってハンドリングされているとき、前記半二重端末をハンドリングする前記基地局の前記セルのアイドル期間と呼ばれる時間期間中に信号の転送及び受信を行わず、
前記方法は、前記第１の基地局によって実行されるステップであって、
−  前記第１の基地局の前記セルにおいて信号を転送するステップと、
−  前記第１の基地局によって転送された前記信号に応答して前記半二重端末によって転送されたメッセージを受信するステップであって、前記メッセージは、前記第１の基地局によって転送された前記信号に関する品質測定値及び前記第２の基地局によって転送された前記信号に関する少なくとも品質測定値に関連する情報を含む、前記メッセージを受信するステップと、
−  前記半二重端末と前記第２の基地局との間のラウンドトリップ遅延を求めることを可能にする情報を取得するステップと、
−  前記半二重端末と前記第２の基地局との間の前記ラウンドトリップ遅延を求めるステップと、
−  前記求められたラウンドトリップ遅延及び前記品質測定値に関連する情報に従って、前記第１の基地局から前記第２の基地局へ前記半二重端末のハンドオーバを実行しなければならないか否かを判断するステップと、
を含むことを特徴とする、無線セルラー通信ネットワークにおいて、第１の基地局から第２の基地局へ半二重端末のハンドオーバを実行しなければならないか否かを判断する方法。
【請求項２】
前記無線通信ネットワークは、半二重周波数分割複信方式を使用することを特徴とし、
前記第１の基地局若しくは前記第２の基地局によってハンドリングされる半二重端末のみが、前記第１の基地局若しくは前記第２の基地局の前記セルの前記アイドル期間中に信号の転送及び受信を行わないか、又は、
前記第１の基地局若しくは前記第２の基地局によってハンドリングされる前記半二重端末、及び、前記第１の基地局若しくは前記第２の基地局が、前記第１の基地局若しくは前記第２の基地局の前記セルの前記アイドル期間中に信号の転送及び受信を行わない
ことを特徴とする、請求項１に記載の方法。
【請求項３】
前記無線通信ネットワークは、時分割複信方式を使用することを特徴とし、
前記第１の基地局若しくは前記第２の基地局によってハンドリングされる前記半二重端末、及び、前記第１の基地局若しくは前記第２の基地局は、前記アイドル期間中に信号の転送及び受信を行わない
ことを特徴とする、請求項１に記載の方法。
【請求項４】
前記半二重端末と前記第２の基地局との間の前記ラウンドトリップ遅延を求めることを可能にする前記情報は、前記半二重端末のロケーション及び前記第２の基地局のロケーションであることを特徴とする、請求項２又は３に記載の方法。
【請求項５】
前記半二重端末の前記ロケーションは、前記受信されたメッセージに含まれることを特徴とする、請求項４に記載の方法。
【請求項６】
前記第２の基地局の前記ロケーションは、前記第２の基地局によって前記第１の基地局へ転送されたメッセージに含まれるか、又は、前記受信されたメッセージに含まれることを特徴とする、請求項４又は５に記載の方法。
【請求項７】
前記無線セルラー通信ネットワークの前記セルは同期されることを特徴とし、
前記半二重端末と前記第２の基地局との間の前記ラウンドトリップ遅延を求めることを可能にする前記情報は、前記第１の基地局によって転送された前記信号と前記第２の基地局によって転送された前記信号との前記半二重端末による受信時間差である
ことを特徴とする、請求項２又は３に記載の方法。
【請求項８】
無線セルラー通信ネットワークにおいて、第１の基地局から第２の基地局へ半二重端末のハンドオーバを実行しなければならないか否かを判断するためのデバイスであって、
各基地局はそれぞれのセルにおいて信号を転送し、
前記半二重端末は、前記基地局のうちの一つによってハンドリングされているとき、前記端末をハンドリングする前記基地局の前記セルのアイドル期間と呼ばれる時間期間中に信号の転送及び受信を行わず、
前記半二重端末のハンドオーバを実行しなければならないか否かを判断するためのデバイスは、前記第１の基地局に含まれると共に、
−  前記第１の基地局の前記セルにおいて信号を転送する手段と、
−  前記第１の基地局によって転送された前記信号に応答して前記半二重端末によって転送されたメッセージを受信する手段であって、前記メッセージは、前記第１の基地局によって転送された前記信号に関する品質測定値及び前記第２の基地局によって転送された前記信号に関する少なくとも品質測定値に関連する情報、並びに、前記半二重端末と前記第２の基地局との間のラウンドトリップ遅延を求めることを可能にする情報を含む、前記メッセージを受信する手段と、
−  前記半二重端末と前記第２の基地局との間の前記ラウンドトリップ遅延を求める手段と、
−  前記求められたラウンドトリップ遅延及び前記品質測定値に関連する情報に従って、前記第１の基地局から前記第２の基地局へ前記半二重端末のハンドオーバを実行しなければならないか否かを判断する手段と、
を備えることを特徴とする、無線セルラー通信ネットワークにおいて、第１の基地局から第２の基地局へ半二重端末のハンドオーバを実行しなければならないか否かを判断するためのデバイス。
【請求項９】
プログラマブルデバイス内に直接ロード可能とすることができるコンピュータプログラムであって、前記コンピュータプログラムがプログラマブルデバイス上で実行される時に請求項１〜７のいずれか一項による方法のステップを実施するための命令又はコード部分を含む、コンピュータプログラム。
【発明の詳細な説明】
【技術分野】
【０００１】
本発明は、包括的には、無線セルラー通信ネットワークにおいて、端末についてハンドオーバを実行しなければならないか否かを判断するための方法及びデバイスに関する。
【背景技術】
【０００２】
最先端の無線セルラー通信ネットワークでは、各端末には、理論的には通信をハンドリングすることができる基地局の候補セットが定期的に割り当てられる。これらの候補基地局は、たとえば、端末を現在ハンドリングしている基地局の周囲の基地局とすることができる。各端末は、種々の候補基地局の候補測定チャネルの信号の品質を定期的に測定するか、又は要求に応じて、すなわち特定のイベントの後に測定する。その後、これらの測定値は、端末によって、この端末を現在ハンドリングしている基地局に報告され、基地局は、ハンドオーバ手順を開始するべきか否かを判定することができる。
【０００３】
代替的には、基地局の候補セットは端末には割り当てられない。各端末は、受信される測定チャネルの信号が十分な品質を有する基地局との間で測定を行う。次に、端末は、この端末を現在ハンドリングしている基地局に測定値を報告し、基地局は、ハンドオーバ手順を開始するか否か、又は、端末によって要求されたハンドオーバ手順を有効にするか否かを判定することができる。
【０００４】
このような最先端のハンドオーバは、全二重端末については有効であるが、半二重端末についてはいくつかの問題につながるおそれがある。
【０００５】
全二重端末は、無線信号の送信及び受信を同時に行うことができる端末である。
【０００６】
半二重端末は、無線信号の送信及び受信を同時に行うことができない端末である。たとえば、端末は時分割複信（ＴＤＤ）モードで動作し、送信及び受信は同じ周波数帯域上であるが異なる時間期間に行われる。端末は周波数分割複信（ＦＤＤ）モードで動作することもでき、送信及び受信は異なる周波数帯域上で異なる時間期間に行われる。
【０００７】
基地局が時刻ｔｅに半二重端末へシンボルを送信するとき、これらのシンボルは、基地局からの距離ｄに位置する端末によって、ｔｅ＋ＲＴＤ（ｄ）／２に等しい時刻に受信される。ここで、ＲＴＤ（ｄ）は、この端末のラウンドトリップ遅延（Round Trip Delay）である。これらのシンボルは端末によって処理され、その後、端末もアップリンクチャネルを介して基地局へシンボルを送信することができる。端末ＴＥは、アップリンクチャネルを介してシンボルを送信する前に、ハードウェアオペレーション及びソフトウェアオペレーションの継続時間を考慮するために或る期間待たなければならない。この或る期間は、受信送信切り換え時間（Receive Transmit Switch time）又は単にスイッチング時間と言われ、ＲＴＳと呼称される。たとえば、この遅延ＲＴＳは、端末のハードウェア機器が受信モードと送信モードとの間を切り換えるのに必要とする時間、及び、基地局のハードウェア機器が送信モードと受信モードとの間を切り換えるのに必要とする時間の最大値である。したがって、アップリンクチャネルを介して送信されたシンボルは、ｔｅ＋ＲＴＤ（ｄ）＋ＲＴＳ＋ＤDLに等しい時刻ｔｒより前には基地局ＢＴＳで受信することができない。ＤDLは、端末がダウンリンクチャネルで受信することができるシンボルの全継続時間である。
【０００８】
例として、第３世代パートナーシッププロジェクト長期的発展型（３ＧＰＰ／ＬＴＥ）と互換性のある１０ｋｍのＦＤＤセル半径を有する基地局を考える場合、基地局がそのセル内のいずれの場所に位置する端末もハンドリングすることができるようにするには、基地局側及び端末側の双方、又は、端末側のみのいずれかで、２シンボルの継続時間に対応するアイドル期間継続時間を作り出す必要がある。２シンボルの継続時間に対応するアイドル期間継続時間によって、基地局は、基地局から最大１９．６ｋｍまでの距離に位置する半二重端末をハンドリングすることが可能になる。
【０００９】
１シンボルの継続時間に対応するアイドル期間継続時間では、基地局は、基地局から最大８．３ｋｍまでの距離に位置する半二重端末しかハンドリングすることができない。このようなアイドル期間継続時間によって、たとえ測定チャネルの信号の品質が十分高くても、基地局は、基地局から８．３ｋｍよりも大きい距離に位置する半二重端末をハンドリングすることができないのに対して、全二重端末はハンドリングすることができる。
【００１０】
したがって、通信中、ハンドオーバ手順が基地局に対して要求される場合があるが、基地局と端末との間のラウンドトリップ遅延が基地局のアイドル期間に適合していないと、基地局は半二重端末をハンドリングすることができない。
【００１１】
ここで、アイドル期間は、以下で開示するように、連続した時間期間又は不連続な時間期間とすることができることに留意しなければならない。
【先行技術文献】
【特許文献】
【００１２】
【特許文献１】ＧＢ２４１８８０６Ａ号
【発明の概要】
【発明が解決しようとする課題】
【００１３】
本発明は、無線セルラー通信ネットワークの基地局が、半二重端末についてハンドオーバを行う必要があるか否かを効率的に判断することを可能にすることを目的とする。
【課題を解決するための手段】
【００１４】
この目的を達成するために、本発明は、無線セルラー通信ネットワークにおいて、第１の基地局から第２の基地局へ半二重端末のハンドオーバを実行しなければならないか否かを判断する方法に関する。各基地局はそれぞれのセルにおいて信号を転送し、半二重端末は、基地局のうちの一つによってハンドリングされているとき、当該半二重端末をハンドリングする基地局のセルのアイドル期間と呼ばれる時間期間中に信号の転送及び受信を行わず、当該方法は、第１の基地局によって実行されるステップであって、
−  第１の基地局のセルにおいて信号を転送するステップと、
−  第１の基地局によって転送された信号に応答して半二重端末によって転送されたメッセージを受信するステップであって、当該メッセージは、第１の基地局によって転送された信号に関する品質測定値及び第２の基地局によって転送された信号に関する少なくとも品質測定値に関連する情報を含む、メッセージを受信するステップと、
−  半二重端末と第２の基地局との間のラウンドトリップ遅延を求めることを可能にする情報を取得するステップと、
−  半二重端末と第２の基地局との間のラウンドトリップ遅延を求めるステップと、
−  求められたラウンドトリップ遅延及び品質測定値に関連する情報に従って、第１の基地局から第２の基地局へ半二重端末のハンドオーバを実行しなければならないか否かを判断するステップと、
を含むことを特徴とする。
【００１５】
また、本発明は、無線セルラー通信ネットワークにおいて、第１の基地局から第２の基地局へ半二重端末のハンドオーバを実行しなければならないか否かを判断するためのデバイスにも関する。各基地局はそれぞれのセルにおいて信号を転送し、半二重端末は、基地局のうちの一つによってハンドリングされているとき、当該端末をハンドリングする基地局のセルのアイドル期間と呼ばれる時間期間中に信号の転送及び受信を行わず、当該半二重端末のハンドオーバを実行しなければならないか否かを判断するためのデバイスは、第１の基地局に含まれると共に、
−  第１の基地局のセルにおいて信号を転送する手段と、
−  第１の基地局によって転送された信号に応答して半二重端末によって転送されたメッセージを受信する手段であって、当該メッセージは、第１の基地局によって転送された信号に関する品質測定値及び第２の基地局によって転送された信号に関する少なくとも品質測定値に関連する情報、並びに半二重端末と第２の基地局との間のラウンドトリップ遅延を求めることを可能にする情報を含む、メッセージを受信する手段と、
−  半二重端末と第２の基地局との間のラウンドトリップ遅延を求める手段と、
−  求められたラウンドトリップ遅延及び品質測定値に関連する情報に従って、第１の基地局から第２の基地局へ半二重端末のハンドオーバを実行しなければならないか否かを判断する手段と、
を備えることを特徴とする。
【００１６】
したがって、本発明によって、効果のないハンドオーバ手順を回避することによって、ネットワークにおける半二重端末の処理の品質喪失が回避される。
【００１７】
特定の特徴によれば、半二重端末と第２の基地局との間のラウンドトリップ遅延を求めることを可能にする情報は、半二重端末のロケーション及び第２の基地局のロケーションである。
【００１８】
したがって、端末側でラウンドトリップ遅延を計算する必要はない。
【００１９】
特定の特徴によれば、半二重端末のロケーションは受信されたメッセージに含まれる。
【００２０】
したがって、基地局によって実行されるタスクが簡単化される。
【００２１】
特定の特徴によれば、第２の基地局のロケーションは、第２の基地局によって第１の基地局へ転送されたメッセージに含まれるか、又は、受信されたメッセージに含まれる。
【００２２】
また別の態様によれば、本発明は、無線セルラー通信ネットワークにおいて、第１の基地局から第２の基地局へ半二重端末のハンドオーバを実行しなければならないか否かの判断を可能にする方法に関する。各基地局はそれぞれのセルにおいて信号を転送し、半二重端末は、基地局のうちの一つによってハンドリングされているとき、当該端末をハンドリングする基地局のセルのアイドル期間と呼ばれる時間期間中に信号の転送及び受信を行わず、当該方法は、半二重端末によって実行されるステップであって、
−  第１の基地局及び第２の基地局から信号を受信するステップと、
−  第１の基地局へメッセージを転送するステップであって、当該メッセージは、第１の基地局によって転送された信号に関する品質測定値及び第２の基地局によって転送された信号に関する少なくとも品質測定値に関連する情報、並びに、半二重端末と第２の基地局との間のラウンドトリップ遅延を求めることを可能にする情報を含む、メッセージを転送するステップと、
を含むことを特徴とする。
【００２３】
また別の態様によれば、本発明は、無線セルラー通信ネットワークにおいて、第１の基地局から第２の基地局へ半二重端末のハンドオーバを実行しなければならないか否かの判断を可能にするためのデバイスに関する。各基地局はそれぞれのセルにおいて信号を転送し、半二重端末は、基地局のうちの一つによってハンドリングされているとき、当該端末をハンドリングする基地局のセルのアイドル期間と呼ばれる時間期間中に信号の転送及び受信を行わず、当該デバイスは、半二重端末に含まれると共に、
−  第１の基地局及び第２の基地局から信号を受信する手段と、
−  第１の基地局へメッセージを転送する手段であって、当該メッセージは、第１の基地局によって転送された信号に関する品質測定値及び第２の基地局によって転送された信号に関する少なくとも品質測定値に関連する情報、並びに、半二重端末と第２の基地局との間のラウンドトリップ遅延を求めることを可能にする情報を含む、メッセージを転送する手段と、
を備えることを特徴とする。
【００２４】
特定の特徴によれば、無線通信ネットワークは半二重周波数分割複信方式を使用し、第１の基地局若しくは第２の基地局によってハンドリングされる半二重端末のみが、第１の基地局若しくは第２の基地局のセルのアイドル期間中に信号の転送及び受信を行わないか、又は、第１の基地局若しくは第２の基地局によってハンドリングされる半二重端末、及び、第１の基地局若しくは第２の基地局が、第１の基地局若しくは第２の基地局のセルのアイドル期間中に信号の転送及び受信を行わない。
【００２５】
したがって、基地局における半二重ＦＤＤ端末に起因する特定の実施コストが削減されるか、又は、基地局の電力消費が制限される。
【００２６】
特定の特徴によれば、無線通信ネットワークは時分割複信方式を使用し、第１の基地局若しくは第２の基地局によってハンドリングされる半二重端末、及び、第１の基地局若しくは第２の基地局は、アイドル期間中に信号の転送及び受信を行わない。
【００２７】
したがって、アップリンク通信とダウンリンク通信との間の干渉が低減される。
【００２８】
特定の特徴によれば、半二重端末は第２の基地局のロケーションを第２の基地局から受信し、この第２の基地局のロケーションは第１の基地局へ転送されたメッセージに含まれる。
【００２９】
また別の態様によれば、本発明は、無線セルラー通信ネットワークの半二重端末によって基地局へ転送される信号に関する。この信号は、基地局によって転送された信号に関する品質測定値及び別の基地局によって転送された信号に関する少なくとも品質測定値に関連する情報を含み、半二重端末と別の基地局との間のラウンドトリップ遅延を求めることを可能にする情報をさらに含むことを特徴とする。
【００３０】
したがって、基地局によって実行されるプロセスが簡単化される。
【００３１】
特定の特徴によれば、半二重端末と別の基地局との間のラウンドトリップ遅延を求めることを可能にする情報は、半二重端末のロケーションである。
【００３２】
したがって、端末側においてラウンドトリップ遅延を計算する必要はない。
【００３３】
特定の特徴によれば、半二重端末と第２の基地局との間のラウンドトリップ遅延を求めることを可能にする情報は、第２の基地局のロケーションでもある。
【００３４】
特定の特徴によれば、無線セルラー通信ネットワークのセルは同期され、半二重端末と第２の基地局との間のラウンドトリップ遅延を求めることを可能にする情報は、第１の基地局によって転送された信号と第２の基地局によって転送された信号との受信時間差である。
【００３５】
したがって、ハンドオーバの有効性確認がさらに簡単化される。
【００３６】
さらに別の態様によれば、本発明は、プログラマブルデバイス内に直接ロード可能とすることができるコンピュータプログラムに関する。当該コンピュータプログラムは、プログラマブルデバイス上で実行される時に本発明による方法のステップを実施するための命令又はコード部分を含む。
【００３７】
このコンピュータプログラムに関する特徴及び利点は、本発明による方法及びデバイスに関連して上述したものと同じであるので、ここでは繰り返さないことにする。
【００３８】
本発明の特徴は、一例の実施形態の以下の説明を読むことによってより明確になろう。当該説明は、添付図面に関して作成されている。
【図面の簡単な説明】
【００３９】
【図１】本発明が実施される無線セルラー通信ネットワークのアーキテクチャを表す図である。
【図２ａ】アップリンクチャネルが同期し、基地局及び半二重端末がセルのアイドル期間中に信号の転送及び受信を行わない、アイドル期間を示すクロノグラムである。
【図２ｂ】アップリンクチャネルが同期し、半二重端末がセルのアイドル期間中に信号の転送及び受信を行わない、アイドル期間を示すクロノグラムである。
【図３】アップリンクチャネルが非同期であり、無線通信ネットワークが時分割複信方式を使用し、セルに位置する半二重端末及び基地局がアイドル期間中に信号の転送及び受信を行わない、アイドル期間を示すクロノグラムである。
【図４】本発明による無線通信ネットワークの基地局のアーキテクチャを表す図である。
【図５】本発明による無線通信ネットワークの端末のアーキテクチャを表す図である。
【図６】本発明に従って転送される信号のクロノグラムの一例を示す図である。
【図７】本発明による基地局によって実行されるアルゴリズムの一例を示す図である。
【図８】本発明による端末によって実行されるアルゴリズムの一例を示す図である。
【発明を実施するための形態】
【００４０】
図１は、本発明が実施される無線セルラー通信ネットワークのアーキテクチャを表す図である。
【００４１】
無線セルラー通信ネットワークは、時分割複信方式（ＴＤＤ）又は半二重周波数分割複信方式を使用することができる。
【００４２】
ＴＤＤ方式では、アップリンクチャネル及びダウンリンクチャネルで転送される信号は、同じ周波数帯域において異なるサブフレームで複信される。このサブフレームは、タイムスロットとも呼ばれる。
【００４３】
全二重周波数分割複信方式では、アップリンクチャネル及びダウンリンクチャネルで転送される信号は、異なる周波数帯域において同じサブフレームで複信される。このサブフレームは、タイムスロットとも呼ばれる。
【００４４】
半二重端末側からの半二重ＦＤＤ方式では、アップリンクチャネル及びダウンリンクチャネルで転送される信号は、異なる周波数帯域において異なるサブフレームで複信される。このサブフレームは、タイムスロットとも呼ばれる。このような場合、基地局は、全二重周波数分割複信方式を使用するのと共に、各半二重ＦＤＤ端末のタイムスロットを適切に順序付けることによっていくつかの半二重ＦＤＤ端末と同時に通信することができる場合がある。
【００４５】
基地局ＢＳが端末ＴＥへシンボルを転送するとき、データ、信号、又はメッセージが、ダウンリンクチャネルを通じて転送される。
【００４６】
端末ＴＥが基地局ＢＳへシンボルを転送するとき、信号、メッセージ、又はデータが、アップリンクチャネルを通じて転送される。
【００４７】
図１の無線セルラー通信ネットワークでは、基地局ＢＳ２のセル１５2に位置する端末ＴＥは、基地局ＢＳ１のセル１５1に移動中である。
【００４８】
単純にするために、図１には２つの基地局ＢＳしか示されていないが、実際には、無線セルラー通信ネットワークは複数の基地局ＢＳから成る。
【００４９】
基地局ＢＳ１のセル１５1は、基地局ＢＳ１によって転送される信号、たとえば基地局ＢＳ１の測定チャネルで転送される信号の電力強度が、セル１５1に位置する端末ＴＥによって所定の値よりも上のレベルで受信されるエリアである。
【００５０】
全二重端末ＴＥが基地局ＢＳ１のセル１５1に位置しているとき、基地局ＢＳ１は全二重端末ＴＥをハンドリングすることができる。全二重端末ＴＥは、基地局ＢＳ１を通じてリモートの通信デバイスとの通信を確立又は受信することができる。セル１５1は規則正しい形状を有していない。これは、主として、基地局ＢＳ１との見通し線（line of sight）にある特定のロケーション、又は障害物に起因する。
【００５１】
基地局ＢＳ１のエリアＲ１は、Ｒ１に位置する各端末ＴＥについて、基地局ＢＳ１とその端末ＴＥとの間のラウンドトリップ遅延、並びに、受信モードと送信モードとの間の切り換え及び／又は送信モードと受信モードとの間の切り換えの合計が、セル１５1のアイドル期間以下であるエリアである。
【００５２】
換言すれば、半二重又は全二重の端末ＴＥが基地局ＢＳ１のエリアＲ１に位置するとき、基地局ＢＳ１は端末ＴＥをハンドリングすることができ、端末ＴＥは基地局ＢＳ１を通じてリモートの通信デバイスとの通信を確立又は受信することができる。
【００５３】
半二重端末ＴＥがセル１５1に位置するが基地局ＢＳ１のエリアＲ１に位置していないとき、端末ＴＥはセル１５1においてセル１５1のアイドル期間に適合していない特性を有するので、基地局ＢＳ１は半二重端末ＴＥをハンドリングすることができない。
【００５４】
エリアＲ１はセル１５1に含まれる。Ｒ１と１５1との相違は、セル１５1について設定せれたアイドル期間によって画定される。
【００５５】
長いアイドル期間によって、基地局ＢＳ１はいずれの半二重端末ＴＥもハンドリングすることが可能になるが、基地局Ｒ１と半二重端末ＴＥとの間で転送されるデータの点から、全体の容量は削減される。Ｒ１は、セル１５1に位置する大部分の半二重端末ＴＥに対して基地局ＢＳ１によってハンドリングされる可能性を提供するように画定される。Ｒ１は、基地局ＢＳ１から遠い少数の半二重端末ＴＥのためにのみアイドル期間を長くしなければならないことを回避するように画定される。
【００５６】
基地局ＢＳ２のセル１５2は、基地局ＢＳ２の測定チャネルで転送される信号のような信号の電力強度が、セル１５2に位置する端末ＴＥによって所定の値よりも上のレベルで受信されるエリアである。全二重端末ＴＥが基地局ＢＳ２のセル１５2に位置しているとき、基地局ＢＳ２は全二重端末ＴＥをハンドリングすることができる。全二重端末ＴＥは、基地局ＢＳ２を通じてリモートの通信デバイスとの通信を確立又は受信することができる。
【００５７】
基地局ＢＳ２のエリアＲ２は、Ｒ２に位置する各端末ＴＥについて、基地局ＢＳ２とその端末ＴＥとの間のラウンドトリップ遅延、並びに、受信モードと送信モードとの間の切り換え及び／又は送信モードと受信モードとの間の切り換えの合計が、セル１５2のアイドル期間以下であるエリアである。
【００５８】
換言すれば、半二重又は全二重の端末ＴＥが基地局ＢＳ２のエリアＲ２に位置するとき、基地局ＢＳ２は端末ＴＥをハンドリングすることができ、端末ＴＥは基地局ＢＳ２を通じてリモートの通信デバイスとの通信を確立又は受信することができる。
【００５９】
半二重端末ＴＥがセル１５2に位置するが基地局ＢＳ２のエリアＲ２に位置していないとき、端末ＴＥはセル１５2においてセル１５2のアイドル期間に適合していない特性を有するので、基地局ＢＳ２は半二重端末ＴＥをハンドリングすることができない。
【００６０】
エリアＲ２はセル１５2に含まれる。Ｒ２と１５2との相違は、セル１５2について設定せれたアイドル期間によって画定される。
【００６１】
ここで、セル１５1及び１５2についてそれぞれ設定されたアイドル期間は、等しくてもよく、異なっていてもよいことに留意されたい。
【００６２】
本発明によれば、基地局ＢＳは、ダウンリンク信号を端末ＴＥへ転送する手段と、メッセージを受信する手段とを備える。
【００６３】
基地局ＢＳは、ノード、或いはノードＢ、或いは拡張ノードＢ、或いはアクセスポイントとも呼ばれる。
【００６４】
端末ＴＥは、移動電話、携帯情報端末、或いはパーソナルコンピュータのような半二重端末である。端末ＴＥはユーザ機器とも呼ばれる。
【００６５】
無線通信ネットワークは、セル同期（cell-synchronized）されているものとすることができる。この場合、異なるセル１５又は基地局ＢＳを発信源とする信号は、同時に送信される。
【００６６】
より正確には、これらの信号はフレームに構造化され、フレーム自体はシンボルから成る。セル同期は、シンボルレベルで確保される場合がある。これは、所与のセル１５又は基地局ＢＳにおけるシンボルの送信時刻が、他の任意のセル１５又は基地局ＢＳにおけるシンボルの送信時刻と一致することを意味する。また、セル同期は、フレームレベルで確保される場合もある。その場合、所与のセル１５又は基地局ＢＳにおけるフレームの送信時刻は、他の任意のセル１５又は基地局ＢＳにおけるフレームの送信時刻と一致する。セル同期は、各基地局ＢＳにＧＮＳＳ（全地球的航法衛星システム）を含めることによって行うことができる。
【００６７】
代替形態として、無線通信ネットワークは、セル同期されていないものとすることができる。この場合、異なるセル１５間又は異なる基地局ＢＳ間で、フレームレベルの同期もシンボルレベルの同期も保証する必要はない。
【００６８】
図２ａは、アップリンクチャネルが同期し、基地局及び半二重端末がセルのアイドル期間中に信号の転送及び受信を行わない、アイドル期間を示すクロノグラムである。
【００６９】
アップリンクチャネルが同期しているとき、基地局ＢＳの所与のセル１５のアップリンクチャネルで送信されるシンボルは、基地局ＢＳと端末ＴＥとを隔てる距離にかかわらず基地局ＢＳによって同じ時刻ｔｒで受信されなければならない。信号が基地局及び半二重端末側の双方によってアイドル期間中に受信も転送もされないとき、基地局ＢＳは、端末ＴＥによって送信されたシンボルの処理を行うために、それらのシンボルの受信を待たなければならない。
【００７０】
エリアＲ１又はＲ２の境界に位置する端末ＴＥについて求められる待ち時間、換言すれば、求めることができる最大待ち時間は、ガード期間又はアイドル期間ＩＰと呼ばれる。これは、少なくともラウンドトリップ遅延ＲＴＤ（Ｒａ）に受信送信切り換え時間ＲＴＳを加算したものに等しくなければならない。ここで、ＲａはエリアＲ１又はＲ２が円とみなされる場合のエリアＲ１又はＲ２の半径である。
【００７１】
基地局ＢＳ１は、ダウンリンクシンボルＤＬを端末ＴＥへ転送する。これらのダウンリンクシンボルＤＬは、ラウンドトリップ遅延ＲＴＤの２分の１に等しい遅延で端末ＴＥによって受信される。
【００７２】
アイドル期間ＩＰの期間中、基地局ＢＳはいずれのシンボルの転送も受信も行わない。いずれのシンボルの転送も受信も行わないことによって、基地局の電力消費が削減される。
【００７３】
基地局ＢＳとそのセル１５に含まれる各端末ＴＥとを隔てる距離にかかわらず、アップリンクシンボルを基地局ＢＳが同時に受信する必要があるので、基地局ＢＳは、端末ＴＥのそれぞれについてタイミング遅延ＴＤ（ｄ）を求める。
【００７４】
このタイミング遅延は、次の式を使用して計算される。
ＴＤ（ｄ）＝ｔｒ−ｔｅ−ＤDL−ＲＴＤ（ｄ）＝ＩＰ−ＲＴＤ（ｄ）
ここで、ｄは端末ＴＥと基地局ＢＳとの間の距離であり、ＤDLは端末ＴＥがダウンリンクチャネルで受信することができるシンボルの全継続時間である。
【００７５】
基地局ＢＳは、各タイミング遅延から、各端末ＴＥについてタイミングアドバンスＴＡ＝ＩＰ−ＴＤ（ｄ）を求め、このタイミングアドバンスを対応する端末ＴＥへ転送する。
【００７６】
端末ＴＥ１がその端末ＴＥのデータを含む先行のダウンリンクタイムスロットの直後のアップリンクタイムスロットにスケジューリングされている場合、端末ＴＥは、アップリンクチャネルを介するシンボルの送信に自身のタイミングアドバンスＴＡ（ＴＥ）値を適用して、端末ＴＥから送信されたシンボルがアップリンクタイムスロットｔｒの開始時に基地局ＢＳで受信されるようにする。
【００７７】
ここで、アイドル期間ＩＰは不連続であることに留意されたい。アイドル期間ＩＰは、端末ＴＥ１について、１／２ＲＴＤで示される２つの時間期間及び時間期間ＴＤ（ＴＥ）から成る。
【００７８】
図２ｂは、アップリンクチャネルが同期し、半二重端末がセルのアイドル期間中に信号の転送及び受信を行わない、アイドル期間を示すクロノグラムである。
【００７９】
図２ｂの例のアイドル期間中、端末ＴＥのみが信号の受信も転送も行わない。
【００８０】
基地局ＢＳは、アイドル期間を何ら考慮することなくダウンリンクチャネルＤＬTでシンボルを転送する。基地局ＢＳは、各端末ＴＥを潜在的に全二重端末ＴＥであるとみなす。基地局ＢＳは、たとえシンボルが半二重端末によって使用できない場合であっても、シンボルを転送することがある。使用できないシンボルを転送することによって、全二重端末ＴＥ及び半二重端末ＴＥをハンドリングすることができる基地局ＢＳの特定の特徴を製造するための開発コストが削減される。
【００８１】
半二重端末ＴＥ、例として端末ＴＥがダウンリンクチャネルＤＬTでシンボルを受信すると、端末ＴＥは受信シンボルに対して或るパンクチャリングを実行する。端末ＴＥは、セル１５のアイドル期間に適合するダウンリンクシンボル、すなわち、端末がダウンリンクチャネルで受信することができるシンボルの継続時間ＤDLに含まれるダウンリンクシンボルのみをＤＬRで受信する。
【００８２】
端末ＴＥのタイミングアドバンスＴＡ（ＴＥ）及びタイミング遅延ＴＤ（ＴＥ）は、図２ａで開示したのと同様の方法で求められる。
【００８３】
ここで、アイドル期間ＩＰは、基地局ＢＳでは連続であるのに対して、半二重端末ＴＥでは不連続であることに留意されたい。アイドル期間ＩＰは、端末ＴＥについて、１／２ＲＴＤで示される２つの時間期間及び時間期間ＴＤ（ＴＥ）から成る。
【００８４】
ＤDLに含まれない信号Ｐｕｎｃは処理されない。
【００８５】
図３は、アップリンクチャネルが非同期であり、無線通信ネットワークが時分割複信方式を使用し、セルに位置する半二重端末及び基地局がアイドル期間中に信号の転送及び受信を行わない、アイドル期間を示すクロノグラムである。
【００８６】
アップリンクチャネルが非同期であるとき、すなわち、異なる端末ＴＥからアップリンクチャネルで送信されたシンボルが同時に受信される必要がないとき、各端末ＴＥａ又はＴＥｂは、基地局ＢＳによってダウンリンクチャネルで送信された信号の受信終了後、同じ所定の継続時間の後にアップリンクチャネルを介してアップリンクシンボルＵＬａ又はＵＬｂを送信する。したがって、アイドル期間は、セル１５の異なる端末の異なる伝播距離を吸収するために、基地局ＢＳにおいて作成される。
【００８７】
端末ＴＥａは端末ＴＥｂよりも基地局ＢＳに近い。端末ＴＥａは、端末ＴＥｂのラウンドトリップ遅延ＲＴＤ（ｂ）の２分の１よりも小さいラウンドトリップ遅延ＲＴＤ（ａ）の２分の１の後に、ダウンリンクシンボルＤＬを受信する。
【００８８】
端末ＴＥａがシンボルを転送する場合、これらのシンボルは、図３に示すように、端末ＴＥｂによって転送されたシンボルよりも早く基地局ＢＳによって受信される。
【００８９】
図４は、本発明による基地局のアーキテクチャを表す図である。
【００９０】
基地局ＢＳ、例として基地局ＢＳ１は、たとえば、バス４０１によって互いに接続されているコンポーネントと、図７に開示するようなアルゴリズムに関連するプログラムによって制御されるプロセッサ４００とに基づくアーキテクチャを有する。
【００９１】
ここで、基地局ＢＳ１は、一変形では、以下で開示するようなプロセッサ４００によって実行されるオペレーションと同じオペレーションを実行する１つ又はいくつかの専用集積回路の形態で実施されることに留意されたい。
【００９２】
バス４０１は、プロセッサ４００を、読み出し専用メモリＲＯＭ４０２、ランダムアクセスメモリＲＡＭ４０３、ネットワークインタフェース４０６、及びチャネルインタフェース４０５に接続する。
【００９３】
読み出し専用メモリＲＯＭ４０２は、図７に開示するようなアルゴリズムに関連するプログラムの命令を含む。これらの命令は、基地局ＢＳに電源が投入されるときにランダムアクセスメモリＲＡＭ４０３へ転送される。
【００９４】
ＲＡＭメモリ４０３は、変数を収容するように意図されるレジスタと、図７に開示するようなアルゴリズムに関連するプログラムの命令とを含む。
【００９５】
チャネルインタフェース４０５は、アンテナＢＳＡｎｔを通じて端末ＴＥへダウンリンク信号を転送する手段と、アンテナＢＳＡｎｔを通じて本発明によるメッセージを受信する手段とを備える。
【００９６】
ネットワークインタフェース４０６は、無線セルラー通信ネットワークの他の基地局ＢＳへメッセージを転送し且つ／又は他の基地局からメッセージを受信する手段を備える。
【００９７】
図５は、本発明による端末のアーキテクチャを表す図である。
【００９８】
端末ＴＥは、たとえば、バス５０１によって互いに接続されるコンポーネントと、図８に開示するようなアルゴリズムに関連するプログラムによって制御されるプロセッサ５００とに基づくアーキテクチャを有する。
【００９９】
ここで、端末ＴＥは、一変形では、以下で開示するようなプロセッサ５００によって実行されるオペレーションと同じオペレーションを実行する、１つ又はいくつかの専用集積回路の形態で実施されることに留意されたい。
【０１００】
バス５０１は、プロセッサ５００を、読み出し専用メモリＲＯＭ５０２、ランダムアクセスメモリＲＡＭ５０３、及びチャネルインタフェース５０５に接続する。
【０１０１】
読み出し専用メモリＲＯＭ５０２は、図８に開示するようなアルゴリズムに関連するプログラムの命令を含む。これらの命令は、端末ＴＥに電源が投入されるときにランダムアクセスメモリＲＡＭ５０３へ転送される。
【０１０２】
ＲＡＭメモリ５０３は、変数を収容するように意図されるレジスタと、図８に開示するようなアルゴリズムに関連するプログラムの命令とを含む。
【０１０３】
チャネルインタフェース５０５は、基地局ＢＳへメッセージを転送し且つ／又は基地局ＢＳからメッセージを受信する手段と、アンテナＴＥＡｎｔを通じて本発明によるメッセージを転送する手段と、受信信号の品質を測定する手段とを備える。
【０１０４】
本発明の第１の実現モードによれば、端末ＴＥは、全地球的航法衛星システムのような自身のロケーションを求める手段を備える。
【０１０５】
図６は、本発明に従って転送される信号のクロノグラムの一例を示している。
【０１０６】
図６では、基地局ＢＳ１及びＢＳ２は、縦軸によってそれぞれ表されている。
【０１０７】
ラインＦｒ152はセル１５2の境界を表し、ラインＦｒR2はエリアＲ２の境界を表し、ラインＦｒR1はエリアＲ１の境界を表し、ラインＦｒ151はセル１５1の境界を表している。
【０１０８】
端末ＴＥは、１０ａで示すロケーションから１０ｂで示すロケーションへ移動している。
【０１０９】
端末ＴＥは、基地局ＢＳ２によってハンドリングされている。
【０１１０】
基地局ＢＳはダウンリンク信号を周期的に転送する。端末ＴＥがセル１５1及び１５2に含まれる位置１０ａに位置しているとき、端末ＴＥは、基地局ＢＳ１からＤＬ１ａで示すダウンリンク信号を受信し、基地局ＢＳ２からＤＬ２ａで示すダウンリンク信号を受信する。ダウンリンク信号ＤＬ１は基地局ＢＳ１のロケーションを表すことができ、ダウンリンク信号ＤＬ２は基地局ＢＳ２のロケーションを表すことができる。
【０１１１】
端末ＴＥは、ダウンリンク信号ＤＬ１ａ及びＤＬ２ａに関するいくつかの品質測定に進む。
【０１１２】
端末ＴＥはセル１５1及び１５2に位置しているので、ダウンリンク信号ＤＬ１ａ及びＤＬ２ａに関する品質測定値は、所定の値よりも大きい。
【０１１３】
例として、ダウンリンク信号ＤＬ１ａに関する品質測定値は、ダウンリンク信号ＤＬ２ａに関する品質測定値よりも大きい。
【０１１４】
本発明の第１の実現モードによれば、端末ＴＥはＧＮＳＳモジュールから自身のロケーションを取得する。本発明の第２の実現モードによれば、端末ＴＥは信号ＤＬ１ａ及びＤＬ２ａの受信時刻の時間差を取得する。
【０１１５】
ロケーション又は時間差は、端末ＴＥをハンドリングしている基地局ＢＳ２が、端末ＴＥと基地局ＢＳ１との間のラウンドトリップ遅延を評価することを可能にする情報である。
【０１１６】
端末ＴＥは、Ｒｅｐａで示すメッセージを、端末ＴＥをハンドリングしている基地局ＢＳ２へ転送する。
【０１１７】
本発明によれば、メッセージＲｅｐａは、品質測定値又は品質測定値から導出される情報と、端末ＴＥをハンドリングしている基地局ＢＳ２が端末ＴＥと基地局ＢＳ１との間の少なくともラウンドトリップ遅延を評価することを可能にする情報とを含む。
【０１１８】
基地局ＢＳ２は、メッセージＲｅｐａの内容を使用して、端末ＴＥについて基地局ＢＳ１とハンドオーバを実行する必要があるか否かを判断する。
【０１１９】
ダウンリンク信号ＤＬ１ａに関する品質測定値はダウンリンク信号ＤＬ２ａに関する品質測定値よりも大きいので、基地局ＢＳ２は、端末ＴＥについて基地局ＢＳ１とハンドオーバを実行する必要があると決定すべきである。本発明によれば、基地局は、端末ＴＥと基地局ＢＳ１との間のラウンドトリップ遅延を評価し、評価されたラウンドトリップ遅延がセル１５1のアイドル期間に適合しているか否かをチェックする。
【０１２０】
ロケーション１０ａはエリアＲ１に含まれないので、ラウンドトリップ遅延はセル１５1のアイドル期間に適合していない。
【０１２１】
次に、基地局ＢＳ２は、基地局ＢＳ２が端末ＴＥのハンドリングを続けることを端末ＴＥに通知するＡｎｓａで示すメッセージを応答として転送する。代替的には、基地局は、端末ＴＥのハンドリングを続けるために端末ＴＥへ明示的なメッセージを転送しなくてもよいことに留意されたい。
【０１２２】
端末ＴＥがセル１５1及び１５2に含まれる位置１０ｂに位置しているとき、端末ＴＥは、ＤＬ１ｂで示すダウンリンク信号を基地局ＢＳ１から受信し、ＤＬ２ｂで示すダウンリンク信号を基地局ＢＳ２から受信する。
【０１２３】
ダウンリンク信号ＤＬ１ａ及びＤＬ１ｂは基地局ＢＳ１のロケーションを表すことができ、ダウンリンク信号ＤＬ２ａ及びＤＬ２ｂは基地局ＢＳ２のロケーションを表すことができる。
【０１２４】
端末ＴＥは、ダウンリンク信号ＤＬ１ｂ及びＤＬ２ｂに関するいくつかの品質測定に進む。
【０１２５】
端末ＴＥはセル１５1及び１５2に位置しているので、ダウンリンク信号ＤＬ１ｂ及びＤＬ２ｂに関する品質測定値は、所定の値よりも大きい。
【０１２６】
例として、ダウンリンク信号ＤＬ１ｂに関する品質測定値は、ダウンリンク信号ＤＬ２ｂに関する品質測定値よりも大きい。
【０１２７】
本発明の第１の実現モードによれば、端末ＴＥはＧＮＳＳモジュールから自身のロケーションを取得する。本発明の第２の実現モードによれば、端末ＴＥは信号ＤＬ１ｂ及びＤＬ２ｂの受信時刻の時間差を取得する。
【０１２８】
ロケーション又は時間差は、端末ＴＥをハンドリングしている基地局ＢＳ２が、端末ＴＥと基地局ＢＳ１との間のラウンドトリップ遅延を評価することを可能にする情報である。
【０１２９】
端末ＴＥは、Ｒｅｐｂで示すメッセージを、端末ＴＥをハンドリングしている基地局ＢＳ２へ転送する。
【０１３０】
本発明によれば、メッセージＲｅｐｂは、品質測定値又は品質測定値から導出される情報と、端末ＴＥをハンドリングしている基地局ＢＳ２が端末ＴＥと基地局ＢＳ１との間の少なくともラウンドトリップ遅延を評価することを可能にする情報とを含む。
【０１３１】
基地局ＢＳ２は、メッセージＲｅｐｂの内容を使用して、端末ＴＥについて基地局ＢＳ１とハンドオーバを実行する必要があるか否かを判断する。基地局ＢＳ２は、端末ＴＥと基地局ＢＳ１との間のラウンドトリップ遅延を評価する。
【０１３２】
ロケーション１０ｂはエリアＲ１に含まれ、ラウンドトリップ遅延はセル１５1のアイドル期間に適合する。
【０１３３】
ダウンリンク信号ＤＬ１ａに関する品質測定値はダウンリンク信号ＤＬ２ａに関する品質測定値よりも大きく、評価されたラウンドトリップ遅延はセル１５1のアイドル期間に適合する。そのため、次に、基地局ＢＳ２は、基地局ＢＳ１とハンドオーバ手順を実行すべきであることを端末ＴＥに通知するＡｎｓｂで示すメッセージを応答として転送する。
【０１３４】
図７は、本発明による基地局によって実行されるアルゴリズムの一例である。
【０１３５】
より正確には、本アルゴリズムは、各基地局ＢＳのプロセッサ４００によって周期的に又は所定のイベントに応答して実行される。
【０１３６】
ステップＳ７００において、第１の基地局ＢＳとも呼ばれる現基地局ＢＳのプロセッサ４００は、少なくとも１つのダウンリンク信号を転送するようにチャネルインタフェース４０５に命令する。この少なくとも１つのダウンリンク信号は、現基地局ＢＳから、たとえば測定チャネルで転送される。
【０１３７】
次のステップＳ７０１において、プロセッサ４００は、少なくとも１つの転送されたダウンリンク信号に応答したメッセージの受信を待つ。
【０１３８】
次のステップＳ７０２において、プロセッサ４００は、受信されたメッセージから品質測定値を取得する。
【０１３９】
次のステップＳ７０３において、プロセッサ４００は、ステップＳ７０２において受信されたメッセージを送信した端末ＴＥと、第２の基地局ＢＳとも呼ばれる少なくとも１つの別の基地局ＢＳとの間のラウンドトリップ遅延の評価を可能にする情報を取得する。
【０１４０】
好ましくは、ラウンドトリップ遅延の評価を可能にする情報の少なくとも一部は、ステップＳ７０２において受信されたメッセージに含まれる。
【０１４１】
第１の実現モードによれば、ステップＳ７０２において受信されたメッセージを送信した端末ＴＥと別の基地局ＢＳとの間のラウンドトリップ遅延の評価を可能にする情報は、端末ＴＥとその別の基地局ＢＳとを隔てる距離である。
【０１４２】
端末ＴＥと別の基地局ＢＳとを隔てる距離は、受信されたメッセージに含まれるか、又は、受信されたメッセージに含まれる端末ＴＥのロケーションと現基地局ＢＳによって知られている別の基地局のロケーションとから現基地局ＢＳによって求められる。
【０１４３】
別の基地局ＢＳのロケーションは、現基地局ＢＳのＲＡＭメモリに記憶されているか、又は、別の基地局ＢＳから若しくは無線セルラー通信ネットワークの別の機器からネットワークインタフェース４０６を通じて受信される。
【０１４４】
他の基地局のロケーション情報は、無線によって転送される適切なメッセージによって現基地局へ明示的に通信することができる。代替的には、他の基地局のロケーション情報はほとんど常に静的であるので、このロケーション情報は、基地局計画情報（base station planning information）から事前に知ることができ、各基地局のルックアップテーブルに記憶することができる。この結果、基地局間通信の送信時間が節約される。
【０１４５】
別の基地局ＢＳのロケーションは、別の基地局ＢＳから若しくは無線セルラー通信ネットワークの別の機器から、ネットワークインタフェース４０６を通じて受信することができる。
【０１４６】
一変形では、移動端末ＴＥのロケーション又は端末ＴＥと別の基地局ＢＳとを隔てる距離は受信されたメッセージに含まれない。移動端末のロケーションは、Chabe Nerguizian他による公開された米国特許出願第ＵＳ２００７／００１０９５６号に開示されているようなジオロケーション技法を使用して現基地局ＢＳによって求められる。
【０１４７】
第２の実現モードによれば、無線ネットワークがセル同期されているとき、ステップＳ７０２において受信されたメッセージを送信した端末ＴＥと少なくとも１つの別の基地局ＢＳとの間のラウンドトリップ遅延の評価を可能にする情報は、現基地局ＢＳによって転送されたダウンリンク信号とその別の基地局ＢＳによって転送されたダウンリンク信号との受信時間差である。
【０１４８】
ダウンリンク信号の受信時間差は、受信されたメッセージに含まれる。
【０１４９】
ここで、複数の別の基地局、すなわち、複数の第２の基地局が存在する場合、端末ＴＥと各基地局ＢＳとの間のラウンドトリップ遅延の評価を可能にする情報が受信されたメッセージに含まれることに留意されたい。
【０１５０】
次のステップＳ７０４において、プロセッサ４００は、端末ＴＥと別の基地局ＢＳとの間の少なくとも１つのラウンドトリップ遅延を求める。
【０１５１】
第１の実現モードによれば、ラウンドトリップ遅延は、２Ｒ／ｃを計算することによって求められる。ここで、Ｒは端末ＴＥと別の基地局ＢＳとを隔てる距離であり、ｃは光速である。
【０１５２】
複数の別の基地局に関連する品質測定値及び情報がステップＳ７０２において受信されたメッセージに含まれているとき、プロセッサ４００は、端末ＴＥと各別の基地局ＢＳとの間のラウンドトリップ遅延を求める。
【０１５３】
第２の実現モードによれば、ラウンドトリップ遅延は、現基地局ＢＳによって転送されたダウンリンク信号の受信時刻と別の基地局ＢＳによって転送されたダウンリンク信号の受信時刻との差を２倍したものを、端末ＴＥと現基地局ＢＳとの間のラウンドトリップ遅延に加算することによって求められる。
【０１５４】
複数の別の基地局に関連する品質測定値及び情報がステップＳ７０２において受信されたメッセージに含まれているとき、プロセッサ４００は、端末ＴＥと各別の基地局ＢＳとの間のラウンドトリップ遅延を求める。
【０１５５】
次のステップＳ７０５において、プロセッサ４００は、現基地局ＢＳによって知られている少なくとも１つの別の基地局ＢＳの、少なくとも１つの求められたラウンドトリップ遅延、品質測定値、及びアイドル期間に従って、端末ＴＥをハンドリングしなければならない基地局ＢＳを選択する。
【０１５６】
例として、プロセッサ４００は、最良の品質測定値を有する基地局ＢＳであって、ラウンドトリップ遅延がＲＴＳによって示されるアイドル期間よりも短い基地局ＢＳを選択する。
【０１５７】
次のステップＳ７０６において、プロセッサ４００は、選択された基地局ＢＳが現基地局ＢＳであるか否かをチェックする。
【０１５８】
選択された基地局ＢＳが別の基地局ＢＳである場合、プロセッサ４００はステップＳ７０７に移動する。そうでない場合、プロセッサ４００はステップＳ７０８に移動する。
【０１５９】
ステップＳ７０７において、プロセッサ４００は、選択された基地局とハンドオーバ手順を実行すべきことを端末ＴＥに通知するメッセージの転送を命令する。その後、プロセッサ４００は、本アルゴリズムを中断する。
【０１６０】
ステップＳ７０８において、プロセッサ４００は、現基地局ＢＳが端末ＴＥのハンドリングを続けることを端末ＴＥに通知するメッセージの転送を命令する。代替的には、現基地局は、端末ＴＥのハンドリングを続ける明示的なメッセージを転送しなくてもよいことに留意されたい。
【０１６１】
その後、プロセッサ４００は、本アルゴリズムを中断する。
【０１６２】
図８は、本発明による端末によって実行されるアルゴリズムの一例である。
【０１６３】
より正確には、本アルゴリズムは、ダウンリンク信号が少なくとも１つの基地局ＢＳからたとえば測定チャネルで受信されるごとに、各端末ＴＥのプロセッサ５００によって実行される。
【０１６４】
ステップＳ８００において、プロセッサ５００は、少なくとも１つの基地局ＢＳからのたとえば測定チャネルでの信号の受信をチャネルインタフェース５０５によって検出する。
【０１６５】
次のステップＳ８０１において、プロセッサ５００は、各基地局ＢＳがそれぞれの測定チャネルで転送した信号に関する品質測定値を取得する。
【０１６６】
次のステップＳ８０２において、プロセッサ５００は、端末ＴＥと、端末ＴＥがハンドリングされている第１の基地局ＢＳとも呼ばれる現基地局を除く、第２の基地局ＢＳとも呼ばれる少なくとも１つの別の基地局ＢＳとの間のラウンドトリップ遅延の評価を可能にする情報を取得する。
【０１６７】
第１の実現モードによれば、端末ＴＥと基地局ＢＳとの間のラウンドトリップ遅延の評価を可能にする情報は、端末ＴＥに含まれるＧＮＳＳモジュールから取得された端末ＴＥのロケーションであるか、又は、ＧＮＳＳモジュールから取得された端末ＴＥと別の基地局ＢＳとを隔てる距離と、別の基地局ＢＳによってブロードキャストされた当該別の基地局ＢＳのロケーションとである。
【０１６８】
第２の実現モードによれば、無線ネットワークがセル同期されているとき、端末ＴＥと少なくとも１つの別の基地局ＢＳとの間のラウンドトリップ遅延の評価を可能にする情報は、端末ＴＥをハンドリングしている現基地局ＢＳによって転送されたダウンリンク信号の受信時刻と別の基地局ＢＳによって転送されたダウンリンク信号の受信時刻との差である。
【０１６９】
次のステップＳ８０３において、プロセッサ５００は、端末ＴＥをハンドリングしている現基地局ＢＳへのＲｅｐメッセージの転送を命令する。
【０１７０】
Ｒｅｐメッセージは、品質測定値、及び、端末ＴＥと少なくとも１つの別の基地局ＢＳとの間のラウンドトリップ遅延の評価を可能にする情報を含む。
【０１７１】
ここで、複数の別の基地局ＢＳが存在する場合、端末ＴＥと各基地局ＢＳとの間のラウンドトリップ遅延の評価を可能にする情報がＲｅｐメッセージに含まれることに留意されたい。
【０１７２】
次のステップＳ８０４において、プロセッサ５００は、少なくとも１つのメッセージＡｎｓのチャネルインタフェース５０５による受信を検出する。
【０１７３】
次のステップＳ８０５において、プロセッサ５００は、受信されたメッセージが１つの別の基地局ＢＳとハンドオーバ手順を実行すべきことを端末ＴＥに通知するメッセージであるか否かをチェックする。
【０１７４】
受信されたメッセージが１つの別の基地局ＢＳとハンドオーバ手順を実行すべきことを端末ＴＥに通知するメッセージである場合、プロセッサ５００はステップＳ８０６に移動する。そうでない場合、プロセッサ５００は本アルゴリズムを中断する。
【０１７５】
ステップＳ８０６において、プロセッサ５００は、その別の基地局と従来のハンドオーバ手順を開始する。
【０１７６】
当然のことながら、本発明の範囲から逸脱することなく、上述した本発明の実施の形態に多くの変更を行うことができる。
【図１】
0005351545.tif 000002
【図２ａ】
0005351545.tif 000003
【図２ｂ】
0005351545.tif 000004
【図３】
0005351545.tif 000005
【図４】
0005351545.tif 000006
【図５】
0005351545.tif 000007
【図６】
0005351545.tif 000008
【図７】
0005351545.tif 000009
【図８】
0005351545.tif 000010